(57)【特許請求の範囲】
【請求項１】
コンセントに設けられた刃受に平栓刃を挿抜するプラグにおいて、
左右一対の平栓刃の基端部を一定の間隔で平行に伸延させるとともに、平栓刃の先端部を挿抜方向に対して外側に３度〜６度の角度で折曲させたことを特徴とするプラグ。
【請求項２】
前記平栓刃に設けられたボッチ穴で折曲させたことを特徴とする請求項１に記載のプラグ。
【発明の詳細な説明】
【技術分野】
【０００１】
本発明は、コンセントに設けられた刃受に平栓刃を挿抜するプラグに関するものである。
【背景技術】
【０００２】
従来より、各種の電気機械器具への電力の供給のために、屋内外にコンセントが設置され、電気機械器具のプラグをコンセントに接続して使用されている。
【０００３】
そして、コンセントには電力を供給するための刃受が設けられており、プラグには電力を受給するための平栓刃が設けられており、コンセントの刃受にプラグの平栓刃を挿抜するようにしている。
【０００４】
各種電気機械器具は、コンセントの刃受にプラグの平栓刃が挿入されて接触している状態では、コンセント側から電力が供給されるが、不意にコンセントの刃受から平栓刃が抜けてしまうと、電力の供給がされずに動作不良となる。
【０００５】
そのため、従来においては、コンセントからプラグが離脱しないようにコンセントとプラグとを強固に保持する抜け止め器具が開発されている（たとえば、特許文献１参照。）。
【先行技術文献】
【特許文献】
【０００６】
【特許文献１】特開２０１５−９０８００号公報
【発明の概要】
【発明が解決しようとする課題】
【０００７】
ところが、上記従来の抜け止め器具では、延長タップのようにプラグと共に保持できる構造の場合にしか使用することができず、壁面に設けられたコンセントには適用することができず、汎用性のないものであった。
【課題を解決するための手段】
【０００８】
そこで、請求項１に係る本発明では、コンセントに設けられた刃受に平栓刃を挿抜するプラグにおいて、左右一対の平栓刃の基端部を一定の間隔で平行に伸延させるとともに、平栓刃の先端部を挿抜方向に対して外側に３度〜６度の角度で折曲させることにした。
【０００９】
また、請求項２に係る本発明では、前記平栓刃に設けられたボッチ穴で折曲させることにした。
【発明の効果】
【００１０】
そして、本発明では、以下に記載する効果を奏する。
【００１１】
すなわち、本発明では、コンセントに設けられた刃受に平栓刃を挿抜するプラグにおいて、平栓刃の先端部を挿抜方向に対して外側に折曲させることにしているために、壁面に設けられたコンセントであっても延長タップに設けられたコンセントであってもコンセントの刃受からプラグの平栓刃が離脱してしまうのを防止することができる。
【００１２】
特に、平栓刃に設けられたボッチ穴又はボッチ穴よりも先端側で折曲させることにした場合には、ボッチ穴に挿入される刃受のボッチと平栓刃の折曲部とが協働してコンセントの刃受からプラグの平栓刃が離脱してしまうのをより一層強固に防止することができる。
【図面の簡単な説明】
【００１３】
【図１】本発明に係るプラグを示す正面図（ａ）、同部分拡大正面断面図（ｂ）。
【図２】プラグの使用状態を示す部分断面正面図。
【発明を実施するための形態】
【００１４】
以下に、本発明に係るプラグの具体的な構成について図面を参照しながら説明する。
【００１５】
図１及び図２に示すように、プラグ１は、各種の電気機械器具に設けられており、壁面や延長タップに設けられたコンセント２に挿抜される。
【００１６】
プラグ１には、電極端子としての一対の平板状の平栓刃3,3が左右に一定の間隔をあけて並設されている。各平栓刃３には、先端側に左右に貫通する円形断面状のボッチ穴４が形成されている。
【００１７】
一方、コンセント２には、外部にプラグ１の平栓刃3,3を挿通させるために各平栓刃３の厚みよりも幅広の内外（上下）に貫通する左右一対の挿入口5,5が一定の間隔をあけて並設されており、内部に電極端子としての一対の刃受6,6が一定の間隔をあけて並設されている。各刃受６は、二股状のバネ片7,7を間隔を広狭可能に形成している。また、各刃受６は、外側（左側の刃受６の左側、右側の刃受６の右側）のバネ片７の中途部に凸状のボッチ８を形成している。
【００１８】
そして、プラグ１をコンセント２に挿入すると、二股状のバネ片7,7でプラグ１の各平栓刃３を左右外方から内方へ向けて挟圧して挟持して、電気的に接続される。その際に、プラグ１の各平栓刃３のボッチ穴４にコンセント２の各刃受６のボッチ８が挿入して各平栓刃３を係止するようになっている。
【００１９】
本発明では、プラグ１の平栓刃3,3の先端部をプラグ１の挿抜方向（上下方向）に対して外側に向けて（左側の平栓刃３の先端部を左側に向けて、右側の平栓刃３の先端部を右側に向けて）折曲させている。これにより、プラグ１の平栓刃3,3は、基端部が一定の間隔で平行に伸延し、先端部がそれぞれ反対側に向けて外側に間隔を広げながら伸延した状態となっている。
【００２０】
そのため、プラグ１の平栓刃3,3をコンセント２の刃受6,6に挿入すると、各平栓刃３の先端部の折曲部分が各刃受６のボッチ８を設けたバネ片７をバネ力に抗して広げる方向に押し付けられ、各平栓刃３と各刃受６とが強固に密着し、電気的な導通が良好となるだけでなく、コンセント２の刃受6,6からプラグ１の平栓刃3,3が離脱してしまうのを防止することができる。
【００２１】
プラグ１の各平栓刃３の折曲する位置は、各平栓刃３の基端部（根元）側にすると両平栓刃3,3の先端部での広がりが大きくなりすぎてコンセント２の挿入口5,5に挿入できなくなるため、各平栓刃３の先端部側が好ましく、各平栓刃３に設けられたボッチ穴４又はボッチ穴４よりも先端側とした場合には、各平栓刃３のボッチ穴４よりも基端側では一対のバネ片７で平栓刃３が挟持されるとともに、各平栓刃３のボッチ穴４に刃受６のボッチ８が挿入されて係止されるのでより好ましい。
【００２２】
また、プラグ１の各平栓刃３の折曲する角度αは、折曲させた状態でもコンセント２の挿入口5,5に挿入できる範囲とし、３度〜６度が好ましく、５度がより好ましい。
【００２３】
また、プラグ１は、全ての平栓刃３を折曲してもよく、一部の平栓刃３を折曲してもよい。
【００２４】
以上に説明したように、上記プラグ１は、平栓刃３の先端部を挿抜方向に対して外側に折曲させた構成となっている。
【００２５】
そのため、上記構成のプラグ１では、壁面に設けられたコンセント２であっても延長タップに設けられたコンセント２であっても適用することができるといった汎用性を有し、コンセント２の刃受６からプラグ１の平栓刃３が離脱してしまうのを防止することができる。
【００２６】
また、上記プラグ１は、平栓刃３に設けられたボッチ穴４又はボッチ穴４よりも先端側で折曲させた構成となっている。
【００２７】
そのため、上記構成のプラグ１では、ボッチ穴４に挿入される刃受６のボッチ８と平栓刃３の折曲部とが協働してコンセント２の刃受６からプラグ１の平栓刃３が離脱してしまうのをより一層強固に防止することができる。
【符号の説明】
【００２８】
１  プラグ                      ２  コンセント
３  平栓刃                      ４  ボッチ穴
５  挿入口                      ６  刃受
７  バネ片                      ８  ボッチ
【図１】
0006887478.tif 000002
【図２】
0006887478.tif 000003